(57)【要約】【課題】回転板と絞り連係板の一方に形成された端部が閉塞端となっている回転伝達溝に他方に突設された動力伝達ピンを円滑に係脱することが可能なレンズ鏡筒を提供する。【解決手段】回転伝達溝４４が形成された絞り連係板４１の前端部に、その他の部分に対して曲折されかつ組立領域４５が形成された曲折部４３を形成し、光軸方向に見たときに回転板３０に突設された動力伝達ピン３１の先端が組立領域の閉塞端よりズーム領域４６側に位置することを特徴とするレンズ鏡筒。【選択図】図３
2007127990.tif 000002
【特許請求の範囲】
【請求項１】
固定環に対して光軸方向に進退可能であり移動レンズ群を支持する移動支持枠と、
該移動支持枠に支持された光軸回りに回転可能な絞り開閉環と、
該絞り開閉環から光軸と略平行な方向に延出し、該絞り開閉環と一緒に回転する回転板と、
上記固定環に絞り操作手段の操作に連動して上記光軸回りに回転するように支持された、上記光軸と略平行な方向に延在する絞り連係板と、
上記回転板と該絞り連係板の一方に形成された回転伝達溝と、
上記回転板と絞り連係板の他方に形成され、上記移動レンズ群の光軸方向移動に伴って上記回転伝達溝内をスライドし、上記絞り連係板の回転力を上記回転板に伝達する動力伝達ピンと、
を備えるレンズ鏡筒において、
上記回転伝達溝が、上記移動支持枠が光軸方向にズーミング移動するときに上記動力伝達ピンがスライドしながら係合する光軸と略平行なズーム領域と、該ズーム領域に連続する閉塞端部であり上記移動支持枠の組み立て時に該動力伝達ピンが係合する組立領域と、を備え、
上記回転伝達溝が形成された上記回転板または絞り連係板の端部に、上記動力伝達ピンの先端を上記組立領域の閉塞端に当接することなく該組立領域から上記ズーム領域に進入可能とする、その他の部分に対して曲折された曲折部を形成したことを特徴とするレンズ鏡筒。
【請求項２】
請求項１記載のレンズ鏡筒において、
上記曲折部を、上記回転板または絞り連係板の上記光軸と平行な長手方向の端部に形成し、
上記組立領域が、上記ズーム領域から該長手方向に延出するレンズ鏡筒。
【請求項３】
請求項１記載のレンズ鏡筒において、
上記曲折部を、上記回転板または絞り連係板の上記光軸に対して直交する幅方向の端部に形成し、
上記組立領域が、上記ズーム領域から上記幅方向と略平行に延出するレンズ鏡筒。
【請求項４】
固定環に対して相対回動可能かつ光軸方向に相対移動可能な二つの回転部材を有し、一方の回転部材は、光軸と平行な方向の回転伝達溝を備えた回転伝達アームを備え、他方の回転部材は、この回転伝達溝に嵌まる回転伝達ピンを備えたレンズ鏡筒の回転伝達機構において、
上記回転伝達アームの回転伝達溝は、回転伝達アームの先端部において閉じており、かつ、該回転伝達アームの先端部は、該閉じた先端部に上記回転伝達ピンが接触することなく上記回転伝達溝内に進入できる程度に曲折されていることを特徴とするレンズ鏡筒。
【請求項５】
請求項４記載のレンズ鏡筒の回転伝達機構において、上記他方の回転部材の回転伝達ピンは、上記回転伝達アームとは逆方向に延びる光軸と平行な第二の回転伝達アーム先端に備えられているレンズ鏡筒。
【発明の詳細な説明】
【技術分野】
【０００１】
本発明は、固定環に対して光軸方向に進退する移動レンズを支持する移動支持枠に絞り機構を一体的に設けたレンズ鏡筒に関する。
【背景技術】
【０００２】
固定環に対して光軸方向に進退する移動レンズを支持する移動支持枠に絞り機構を一体的に設けたレンズ鏡筒は一般的に図９のような構造となっている。
このレンズ鏡筒１００は、固定環０１１と、直進案内環０１２と、直進案内環０１２に光軸Ｏ方向に移動可能に支持されズームレンズ群（移動レンズ群）Ｌを支持する移動支持枠０２０と、移動支持枠０２０に光軸Ｏ回りに回転可能に支持された絞り開閉環０２４と、絞り開閉環０２４から後方に延出し絞り開閉環０２４と一緒に回転する回転板０３０と、不図示の絞り調整環の回転操作に連動して光軸Ｏ回りに回転し回転板０３０とレンズ鏡筒１００の径方向に対向する絞り連係板０４１と、絞り連係板０４１に形成された光軸Ｏと略平行な回転伝達溝０４４と、回転板０３０に突設された回転伝達溝０４４にスライド自在に係合する動力伝達ピン０３１と、を備えている。
不図示の絞り調整環を回転操作すると絞り連係板０４１が回転し、この回転力が回転伝達溝０４４と動力伝達ピン０３１を介して回転板０３０及び絞り開閉環０２４に伝わる。すると、絞り開閉環０２４が各絞り羽根０２５を開方向または閉方向に回転させ、絞り調整が行われる。
移動支持枠０２０がズーミング時に光軸方向に進退すると、動力伝達ピン０３１が回転伝達溝０４４の内部をスライドするので、このレンズ鏡筒１００はいずれの焦点距離状態においても絞り連係板０４１の回転力を絞り開閉環０２４に伝達することが可能である。
【０００３】
【特許文献１】特許第２５６６３９０号公報
【発明の開示】
【発明が解決しようとする課題】
【０００４】
仮に図１０に示すように、回転伝達溝０４４の前端部を開放すると、直進案内環０１２、移動支持枠０２０、ズームレンズ群Ｌ、絞り開閉環０２４、及び回転板０３０からなるスライドユニットを単に光軸Ｏ方向に進退させるだけで、動力伝達ピン０３１を回転伝達溝０４４に対して係脱できるので、移動支持枠０２０のレンズ鏡筒１００への着脱を容易に行える。しかしこのように構成すると、絞り連係板０４１の前端部の機械的強度が低下してしまう。強度が低下すると、絞り連係板０４１の前端部が変形し易くなり、絞り開閉環０２４を精度よく回転させられなくなってしまう。また、絞り連係板０４１の前端部の強度を大きくするためには絞り連係板０４１を大型化させれば良いが、これではレンズ鏡筒１００が大型化してしまう。このため、図９のレンズ鏡筒１００では回転伝達溝０４４の前端部を絞り連係板０４１の内部で終端する閉塞端としている。
【０００５】
しかし図９の構造では、スライドユニットを単に光軸Ｏ方向に進退させるだけでは、動力伝達ピン０３１が絞り連係板０４１の前端部に接触してしまい、動力伝達ピン０３１を回転伝達溝０４４に係脱できない。そのため、動力伝達ピン０３１を絞り連係板０４１に係脱するには、動力伝達ピン０３１を絞り連係板０４１に対して一旦径方向に移動させねばならず、それゆえ上記スライドユニットをレンズ鏡筒１００に着脱する作業は容易でなかった。
【０００６】
本発明の目的は、回転板と絞り連係板の一方に形成された端部が閉塞端となっている回転伝達溝に他方に突設された動力伝達ピンを円滑に係脱することが可能なレンズ鏡筒を提供することにある。
【課題を解決するための手段】
【０００７】
本発明のレンズ鏡筒は、固定環に対して光軸方向に進退可能であり移動レンズ群を支持する移動支持枠と、該移動支持枠に支持された光軸回りに回転可能な絞り開閉環と、該絞り開閉環から光軸と略平行な方向に延出し、該絞り開閉環と一緒に回転する回転板と、上記固定環に絞り操作手段の操作に連動して上記光軸回りに回転するように支持された、上記光軸と略平行な方向に延在する絞り連係板と、上記回転板と該絞り連係板の一方に形成された回転伝達溝と、上記回転板と絞り連係板の他方に形成され、上記移動レンズ群の光軸方向移動に伴って上記回転伝達溝内をスライドし、上記絞り連係板の回転力を上記回転板に伝達する動力伝達ピンと、を備えるレンズ鏡筒において、上記回転伝達溝が、上記移動支持枠が光軸方向にズーミング移動するときに上記動力伝達ピンがスライドしながら係合する光軸と略平行なズーム領域と、該ズーム領域に連続する閉塞端部であり上記移動支持枠の組み立て時に該動力伝達ピンが係合する組立領域と、を備え、上記回転伝達溝が形成された上記回転板または絞り連係板の端部に、上記動力伝達ピンの先端を上記組立領域の閉塞端に当接することなく該組立領域から上記ズーム領域に進入可能とする、その他の部分に対して曲折された曲折部を形成したことを特徴としている。
【０００８】
上記曲折部を、上記回転板または絞り連係板の上記光軸と平行な長手方向の端部に形成し、上記組立領域が、上記ズーム領域から該長手方向に延出するもよい。
【０００９】
上記曲折部を、上記回転板または絞り連係板の上記光軸に対して直交する幅方向の端部に形成し、上記組立領域が、上記ズーム領域から上記幅方向と略平行に延出するのが実際的である。
【００１０】
本発明のレンズ鏡筒は別の態様によると、固定環に対して相対回動可能かつ光軸方向に相対移動可能な二つの回転部材を有し、一方の回転部材は、光軸と平行な方向の回転伝達溝を備えた回転伝達アームを備え、他方の回転部材は、この回転伝達溝に嵌まる回転伝達ピンを備えたレンズ鏡筒の回転伝達機構において、上記回転伝達アームの回転伝達溝は、回転伝達アームの先端部において閉じており、かつ、該回転伝達アームの先端部は、該閉じた先端部に上記回転伝達ピンが接触することなく上記回転伝達溝内に進入できる程度に曲折されていることを特徴としている。
【００１１】
この態様では、回転部材の回転伝達ピンは、上記回転伝達アームとは逆方向に延びる光軸と平行な第二の回転伝達アーム先端に備えられているのが好ましい。
【発明の効果】
【００１２】
本発明によれば、移動支持枠を固定環に対して光軸方向に進退させるか、または絞り連係板と回転板を相対回転させるだけで、動力伝達ピンを回転伝達溝の組立領域に係脱できるので、移動支持枠をレンズ鏡筒に簡単に着脱出来る。しかも、組立領域の端部は閉塞端なので、絞り連係板または回転板の端部の機械的強度が低下することもない。
【発明を実施するための最良の形態】
【００１３】
以下、本発明の第１の実施形態について図１から図６を参照しながら説明する。
まずレンズ鏡筒１０の全体構造について説明する。
光軸Ｏを中心とする筒状部材である固定環１１は、光軸Ｏ回りの回転及び光軸Ｏ方向の直進移動をしない不動部材である。固定環１１の内周側には固定環１１と同軸をなす直進案内環１２が位置しており、直進案内環１２の後端部と固定環１１の後端部が固定ねじ１３によって着脱可能に結合されている。直進案内環１２には光軸Ｏと平行な貫通溝である直進案内溝１４が、周方向に１２０°間隔で並べて３本形成されている。直進案内環１２の外周面には光軸Ｏを中心とする環状凹部１６が形成されており、この環状凹部１６に、固定環１１と同軸をなすズーム調整環１７が回転可能かつ光軸Ｏ方向に相対移動不能として嵌合している。ズーム調整環１７には直進案内溝１４に対して傾斜するカム溝１８が貫通溝として周方向に１２０°間隔で並べて３本形成されている。直進案内環１２の内周側にはズームレンズ群Ｌを支持する移動支持枠２０が位置しており、移動支持枠２０の外周面には、周方向に１２０°間隔で並べられた３本の支持軸２１が突設されている。各支持軸２１には回転ローラ２２が回転可能に支持されており、各回転ローラ２２が対応する直進案内溝１４とカム溝１８に相対回転可能に係合している。従って、撮影者がズーム調整環１７を回転操作すると、移動支持枠２０（ズームレンズ群Ｌ）が光軸Ｏ方向に直進移動する。
【００１４】
移動支持枠２０は以下の構造である絞り機構を搭載している。
移動支持枠２０の後面には、絞り開閉環２４が光軸Ｏ回りに相対回転可能に装着されている。絞り開閉環２４の前面と移動支持枠２０の対向面（後面）に形成された環状の隙間には複数の絞り羽根２５が周方向に並べて配設されており、絞り羽根２５の前後両面にはピン２６とピン２７がそれぞれ突設されている。ピン２６は絞り開閉環２４に形成された円弧孔２８にスライド自在に係合しており、ピン２７は移動支持枠２０に形成された枢着孔２９に回転可能に係合している。絞り開閉環２４の後面の上端部には、後方に向かって延出する平板状の回転板（回転伝達アームまたは第二の回転伝達アーム）３０が突設されており、回転板３０の上面の後端部には径方向外向きの動力伝達ピン３１が突設されている。
【００１５】
固定環１１の後端部に形成された環状取付部３２の内周面には、固定ねじ３４によって、周方向に１８０°間隔で並ぶ２つのストッパ部材３３が固定されている（図１から図３に一つのみ図示している）。ストッパ部材３３の直前には環状取付部３２に光軸Ｏ回りに相対回転可能に支持された回転環３５が位置している。回転環３５の上端部には後方に延出する絞りレバー３６が突設されている。この絞りレバー３６は不図示の絞り調整環（絞り操作手段）の回転操作に連動して回転するものである。図４及び図５に示すように、回転環３５の上端部には一対の取付孔３７が穿設されている。絞りレバー３６は２つのストッパ部材３３の間に位置しており、回転環３５は絞りレバー３６が２つのストッパ部材３３に当接することにより、その回転範囲が規定されている。
【００１６】
回転環３５の上端部の直前には周方向に延びる環状部材４０が位置しており、環状部材４０は取付孔３７を貫通する一対の固定ねじ４２によって回転環３５の前面に固定されている。環状部材４０の前面中央部には、前方に向かって一体的に延出する絞り連係板（第二の回転伝達アームまたは回転伝達アーム）４１が突設されている。図示するように絞り連係板４１は回転板３０の外周側において回転板３０と径方向に対向する。
絞り連係板４１の前端部は側面視においてその他の部分（本体部）に対して傾斜する曲折部４３となっている。絞り連係板４１には平面視において光軸Ｏに対して僅かに傾斜する回転伝達溝４４が貫通溝として形成されている。回転伝達溝４４は曲折部４３に形成された組立領域４５と、組立領域４５より後方に位置する光軸Ｏと略平行なズーム領域４６とを具備している。
図１から図３、及び図６に示すように、ズームレンズ群Ｌの光軸Ｏが固定環１１の中心軸と一致したとき、側方または前方（光軸Ｏと平行な方向）から見ると、動力伝達ピン３１の先端（上端）は回転伝達溝４４（組立領域４５）の前端（上端）より下方に位置している。
【００１７】
回転板３０の動力伝達ピン３１は絞り連係板４１の回転伝達溝４４と係脱可能であり、図１及び図２は係合状態を示し、図３は脱出状態を示している。
図１及び図２に示す状態でズーム調整環１７を回転操作すると、回転板３０が移動支持枠２０（ズームレンズ群Ｌ）と一緒に光軸Ｏ方向に進退し、この際図４及び図５に示すように、動力伝達ピン３１がズーム領域４６の後端部近傍とズーム領域４６の前端部近傍の間をスライドする。このように動力伝達ピン３１がズーム領域４６の内部をスライド可能なので、上記絞り調整環によって絞りレバー３６及び絞り連係板４１を光軸Ｏ回りに回転させると、ズームレンズ群Ｌの位置（焦点距離）に拘わらず、この回転力が回転伝達溝４４と動力伝達ピン３１を介して絞り開閉環２４に確実に伝わり、絞り羽根２５が開閉する。
【００１８】
一方、このように組み立てられたレンズ鏡筒１０から、直進案内環１２、ズーム調整環１７、移動支持枠２０、絞り開閉環２４、及び回転板３０からなるスライドユニットを取り外したい場合は、図３に示すようドライバー（図示略）により固定ねじ１３を取り外して、固定環１１と直進案内環１２を分離可能な状態にし、直進案内環１２（スライドユニット）を光軸Ｏに沿って前方に移動させる。すると、直進案内環１２と一緒に回転板３０が光軸Ｏに沿って前方に移動し、動力伝達ピン３１が回転伝達溝４４の組立領域４５の前端から絞り連係板４１の前方に脱出するので（図３参照）、このスライドユニットをレンズ鏡筒１０から取り出すことが出来る。
一方、取り外したスライドユニットを再度レンズ鏡筒１０内に組み付けたい場合は、図３の状態（ズームレンズ群Ｌの光軸Ｏと固定環１１の中心軸が一致し、回転伝達溝４４と動力伝達ピン３１の周方向の位相を一致させた状態）からこのスライドユニットを後方に移動させ、動力伝達ピン３１を組立領域４５の前端から回転伝達溝４４に係合させ、最後に固定環１１と直進案内環１２の後端部を固定ねじ１３によって連結する。
【００１９】
以上説明したように、ズームレンズ群Ｌの光軸Ｏが固定環１１の中心軸と一致した状態でレンズ鏡筒１０を側方または前方から見たときに、動力伝達ピン３１の先端（上端）が回転伝達溝４４（組立領域４５）の前端（上端）より下方に位置するように組立領域４５（曲折部４３）の形状を設定しているので、上記スライドユニットを光軸Ｏ方向に進退させるだけで、回転板３０の動力伝達ピン３１を回転伝達溝４４に簡単に着脱できる。
しかも絞り連係板４１の前端部は閉じている（組立領域４５の前端部が閉塞端となっている）ので、絞り連係板４１は機械的強度に優れる。従って、絞り連係板４１は変形しにくく、絞り開閉環２４を精度よく回転させることが可能である。
【００２０】
次に本発明の第２の実施形態を、図７及び図８を参照しながら説明する。第１の実施形態と異なるのは回転板３０と絞り連係板５０の構成だけなので、その他の部材には同じ符合を付すに止めてその詳細な説明は省略する。
本実施形態の絞り連係板５０は第１の実施形態と同様に環状部材４０から前方に延出する平板状部材であり、第１の実施形態とは形状が異なる回転伝達溝４４が形成されている。絞り連係板５０の一方の側部は前方から見たときにその他の部分に対して傾斜する曲折部５１となっている。本実施形態の回転伝達溝４４は、組立領域４５の前端部近傍から曲折部５１側に向かって組立領域５２が延出する形状であり、組立領域５２は曲折部５１にまで達している。さらに図８に示すように、ズームレンズ群Ｌの光軸Ｏと固定環１１の中心軸が一致したとき、動力伝達ピン３１の先端（上端）は組立領域５２の先端（上端）より下方に位置する。よって、組立領域５２と動力伝達ピン３１の光軸Ｏ方向の位置が一致した状態で、上記スライドユニットを固定環１１に対して周方向に相対回転させれば、動力伝達ピン３１を組立領域５２を通じて回転伝達溝４４に係脱させることが可能である。
従って、スライドユニットがレンズ鏡筒１０に組み付けられた状態からスライドユニットを回転させて動力伝達ピン３１を組立領域５２から脱出させ、その後にスライドユニットを前方に移動させれば、スライドユニットをレンズ鏡筒１０から取り出すことが可能である。また、レンズ鏡筒１０から分離したスライドユニットをレンズ鏡筒１０内に挿入し、組立領域５２と動力伝達ピン３１の光軸Ｏ方向の位置が一致した状態でスライドユニットを固定環１１に対して回転させれば、動力伝達ピン３１を回転伝達溝４４に係合させることが出来る。
【００２１】
この実施形態でも、動力伝達ピン３１を回転伝達溝４４に対して従来より簡単に着脱することができ、しかも回転伝達溝４４の端部（ズーム領域４６の端部及び組立領域５２の端部）が閉塞端となっているので、絞り連係板５０を機械的強度に優れたものにすることが可能である。
【００２２】
以上、本発明を上記実施形態について説明したが、本発明は上記実施形態に限定されるものではなく、様々な変更を施して実施可能である。
例えば、回転板３０側に回転伝達溝４４を形成し、絞り連係板４１または絞り連係板５０に動力伝達ピン３１を形成してもよい。
さらにズームレンズ群Ｌをフォーカスレンズ群としてもよい。
【図面の簡単な説明】
【００２３】
【図１】本発明の第１の実施形態のレンズ鏡筒の上半部のワイド状態における縦断側面図である。
【図２】同じくレンズ鏡筒の上半部のテレ状態における縦断側面図である。
【図３】同じく直進案内環、ズーム調整環、移動支持枠、絞り開閉環、及び回転板からなるスライドユニットをレンズ鏡筒に組み付ける直前における縦断側面図である。
【図４】図１のIV−IV矢線に沿うワイド状態における平面図である。
【図５】図２のＶ−Ｖ矢線に沿うテレ状態における平面図である。
【図６】図１のVI−VI矢線に沿う断面図である。
【図７】本発明の第２の実施形態の回転板と絞り連係板の装着前（取り外し後）における平面図である。
【図８】同じく図７のVIII−VIII矢線に沿う断面図である。
【図９】従来例のレンズ鏡筒の上半部のワイド状態における縦断側面図である。
【図１０】別の従来例の回転板、絞り連係板及び周辺部材を示す平面図である。
【符号の説明】
【００２４】
１０    レンズ鏡筒
１１    固定環
１２    直進案内環
１３    固定ねじ
１４    直進案内溝
１６    環状凹部
１７    ズーム調整環
１８    カム溝
２０    移動支持枠
２１    支持軸
２２    回転ローラ
２４    絞り開閉環
２５    絞り羽根
２６  ２７  ピン
２８    円弧孔
２９    枢着孔
３０    回転板（回転伝達アームまたは第二の回転伝達アーム）
３１    動力伝達ピン
３２    環状取付部
３３    ストッパ部材
３４    固定ねじ
３５    回転環
３６    絞りレバー
３７    取付孔
４０    環状部材
４１    絞り連係板（第二の回転伝達アームまたは回転伝達アーム）
４３    折曲部
４４    回転伝達溝
４５    組立領域
４６    ズーム領域
５０    絞り連係板
５１    折曲部
５２    組立領域
Ｌ      ズームレンズ群（移動レンズ群）
Ｏ      光軸
【図１】
2007127990.tif 000003
【図２】
2007127990.tif 000004
【図３】
2007127990.tif 000005
【図４】
2007127990.tif 000006
【図５】
2007127990.tif 000007
【図６】
2007127990.tif 000008
【図７】
2007127990.tif 000009
【図８】
2007127990.tif 000010
【図９】
2007127990.tif 000011
【図１０】
2007127990.tif 000012